(57)【要約】【課題】魅力ある多様な観客席構成を有し、且つ街の賑わいづくりに貢献可能なアリーナ施設等の建物を提供する。【解決手段】アリーナ施設１は、固定観客席１２、１３、１４と、固定観客席１２、１３、１４に囲まれた中央スペース１１と、を有し、中央スペース１１の一方の端部の外側に多層建築物１５が設けられる。多層建築物１５は、中央スペース１１側にバルコニー席１５１を有し、高さ方向に沿って見た時に、中央スペース１１の多層建築物１５側の観客席構成と、中央スペース１１の多層建築物１５と反対側の観客席構成とが異なる。【選択図】図１
2018204214.tif 000002
【特許請求の範囲】
【請求項１】
観客席と、
前記観客席に囲まれた中央スペースと、
を有し、
前記中央スペースの一方の端部の外側に多層建築物が設けられ、
前記多層建築物は、前記中央スペース側に観客席を有し、
高さ方向に沿って見た時に、前記中央スペースの前記多層建築物側の観客席構成と、前記中央スペースの前記多層建築物と反対側の観客席構成とが異なることを特徴とする建物。
【請求項２】
前記中央スペースは略長方形状平面を有し、
前記多層建築物は、前記中央スペースの長辺方向の一方の端部の外側に設けられることを特徴とする請求項１記載の建物。
【請求項３】
前記中央スペースの前記多層建築物側にステージを設置可能であることを特徴とする請求項２に記載の建物。
【請求項４】
前記多層建築物の外側に広場が設けられたことを特徴とする請求項１から請求項３のいずれかに記載の建物。
【請求項５】
平面視において、固定された前記観客席の前記中央スペース側の境界部に沿って配置された梁部を有し、
前記梁部には人が移動するための床が設けられ、
前記梁部の端部が前記多層建築物に接続されたことを特徴とする請求項１から請求項４のいずれかに記載の建物。
【請求項６】
前記梁部を支持する柱部に、人が移動するための床が設けられたことを特徴とする請求項５に記載の建物。
【請求項７】
前記多層建築物の前記中央スペース側に演出装置が設けられたことを特徴とする請求項１から請求項６のいずれかに記載の建物。
【発明の詳細な説明】
【技術分野】
【０００１】
本発明は、アリーナ施設等の建物に関する。
【背景技術】
【０００２】
バスケットやバレー等、様々な屋内スポーツのプロ化に伴い、競技スペースの周囲に多数の観客席を設けた体育館（アリーナ）が全国に建設されている。
【０００３】
このようなアリーナは、施設の運営を事業的に成り立たせるため、観客席の多さや競技スペースの広さを生かしていろいろなイベントに活用できる多目的アリーナとなっていることが多い。
【０００４】
従来の多目的アリーナでは、スポーツ等を行う略長方形状平面の中央スペースを観客席が均質に取り囲んでおり、中央スペースの長辺方向に沿った観客席（メインスタンド）の価値が高く、諸機能が充実して価格の高い席が設定され、中央スペースの短辺方向に沿った観客席（バックスタンド）の価値は比較的低く、価格の安い席が設定されていることが一般的である。
【先行技術文献】
【特許文献】
【０００５】
【特許文献１】特開2016-089455号公報
【発明の概要】
【発明が解決しようとする課題】
【０００６】
現在の多目的アリーナにおいては、観客に様々な観戦スタイル、いろいろな楽しみ方を提供できる多様な観客席が求められている。しかしながら、従来の多目的アリーナでは、前記したように中央スペースを観客席が均質に取り囲んだ構成が多く、現代のイベントが求める魅力ある多様な観客席はつくり難い構造となっていた。
【０００７】
加えて、コンサート等のイベントの誘致を行ったとしても、施設が生む賑わいは限られたイベント開催時間帯であり、その前後のイベントの仕込み時や撤去作業時には施設を使用できない。そのため、イベント時には入場者で混雑するがそれ以外の多くの時間は閑散とした施設になりがちで、現状では多目的アリーナが日常的な市民利用、街の賑わいづくりに貢献しきれていない面がある。
【０００８】
本発明は上記の問題に鑑みてなされたものであり、魅力ある多様な観客席構成を有し、且つ街の賑わいづくりに貢献可能なアリーナ施設等の建物を提供することを目的とする。
【課題を解決するための手段】
【０００９】
前述した課題を解決するための本発明は、観客席と、前記観客席に囲まれた中央スペースと、を有し、前記中央スペースの一方の端部の外側に多層建築物が設けられ、前記多層建築物は、前記中央スペース側に観客席を有し、高さ方向に沿って見た時に、前記中央スペースの前記多層建築物側の観客席構成と、前記中央スペースの前記多層建築物と反対側の観客席構成とが異なることを特徴とする建物である。
【００１０】
本発明では、中央スペースを取り囲む観客席を有するアリーナ施設等の建物において、観客席の一部に代えて多層建築物を設ける。この多層建築物を商業ビルのような商業施設などとして運用し、建物内でスポーツやイベントなどが行われている場合は、多層建築物の中央スペース側に設けた観客席から例えば食事をしながらオペラ劇場のようにスポーツやイベントを楽しむことができる。
【００１１】
また、商業施設などとして運用される多層建築物は、スポーツやイベントの非開催時、あるいはイベントの仕込み時や撤去作業時等、建物内が利用されていないときでも日常の市民利用に貢献可能である。そのため、1年を通して建物を利用することができ、積極的な市民利用を促進し運営上も利点が大きい。
【００１２】
このように、本発明では多様な観客席により様々な観戦スタイル、いろいろな楽しみ方を提供して多目的アリーナとしての性能を強化し、且つ多層建築物の多彩な利用により日常の市民利用、街の賑わいづくりを両立させることが可能である。
【００１３】
前記中央スペースは略長方形状平面を有し、前記多層建築物は、前記中央スペースの長辺方向の一方の端部の外側に設けられる。
本発明では、観客席としての価値が比較的低く、キャパシティーを優先しない中央スペースの長辺方向の端部の外側のエリアに前記の多層建築物を設けることで、建物全体の観客席価値を維持しつつ、前記した効果を奏することができる。
【００１４】
前記中央スペースの前記多層建築物側にステージを設置可能であることが望ましい。
これにより、コンサート等の際にエンドステージ型の運用を行うことができ、価値の高い中央スペースの長辺方向に沿った観客席を生かして観客席数を多く確保することができる。
【００１５】
前記多層建築物の外側に広場が設けられることが望ましい。
これにより、広場と多層建築物を一体に運用することができ、空間の魅力を高め日常の市民利用を促進することができる。
【００１６】
また、平面視において、固定された前記観客席の前記中央スペース側の境界部に沿って配置された梁部を有し、前記梁部には人が移動するための床が設けられ、前記梁部の端部が前記多層建築物に接続されることが望ましい。また、前記梁部を支持する柱部に、人が移動するための床が設けられることも望ましい。
このように、中央スペースと固定観客席の境界部に多層建築物等によって支持された梁部を設け、この梁部を、中央スペースの演出のために関係者が容易に動き回ることができる床付のものとし、演出装置の設置空間を梁部に確保することで、劇場のポータルブリッジのように中央スペースの多様な演出を可能とする演出機能を梁部に持たせることができる。さらに、本発明では梁部を支持する柱部も床付とし同様の演出機能を持たせることができ、演出対象となる中央スペースを様々な角度から演出できる。
【００１７】
また、前記多層建築物の前記中央スペース側に演出装置が設けられることが望ましい。
これにより、上記と同様、演出対象となる中央スペースを様々な角度から演出できる。
【発明の効果】
【００１８】
本発明により、魅力ある多様な観客席構成を有し、且つ街の賑わいづくりに貢献可能なアリーナ施設等の建物を提供することができる。
【図面の簡単な説明】
【００１９】
【図１】アリーナ施設１を示す図。
【図２】アリーナ施設１を示す図。
【図３】アリーナ施設１の梁部２１、２２、２３、２４等を示す斜視図。
【図４】ステージ５０を示す図。
【発明を実施するための形態】
【００２０】
以下、図面に基づいて本発明の好適な実施形態について詳細に説明する。
【００２１】
図１、２は本発明の実施形態に係るアリーナ施設１（建物）を示す図である。図１、２の（ａ）はアリーナ施設１の平面を示す図であり、（ｂ）は中央スペース１１の長辺方向に沿った鉛直面の構成を示す図である。図１は可動観客席１６を収納した状態、図２は可動観客席１６を引き出した状態を示している。また図３はアリーナ施設１の梁部２１、２２、２３、２４等を示す斜視図である。
【００２２】
図１に示すように、アリーナ施設１は、中央スペース１１を固定観客席１２、１３、１４（固定された観客席）および多層建築物１５で囲んだ構成を有する多目的アリーナである。
【００２３】
中央スペース１１は、競技場やトラック、コンサート会場などとして使用可能な略長方形状平面の平土間部分である。
【００２４】
固定観客席１２、１３、１４は、中央スペース１１から外側に離れるに従って高くなるように、中央スペース１１を中心としてすり鉢状に形成された観客席である。なお、外側とは中央スペース１１から遠い側を指すものとする。その逆は内側という。
【００２５】
固定観客席１４は床レベルから所定高さのスタンド上に設けられ、中央スペース１１の周囲に配置される。固定観客席１２、１３および多層建築物１５は固定観客席１４の外側に配置され、このうち固定観客席１２、１３は上記のスタンドよりさらに高いスタンド上に設けられる。
【００２６】
固定観客席１２は中央スペース１１の長辺方向に沿って配置される。固定観客席１３と多層建築物１５は中央スペース１１の短辺方向に沿って配置される。多層建築物１５は中央スペース１１の長辺方向の一方の端部の外側に設けられ、その反対側の端部の外側には固定観客席１３が設けられる。
【００２７】
多層建築物１５はアリーナ施設１と一体に設けられた上下複数層のフロアからなる建築物であり、その中央スペース１１側には、上下複数層のバルコニー席１５１（観客席）が設けられる。
【００２８】
このように、本実施形態に係るアリーナ施設１は、中央スペース１１を取り囲む観客席の一部に代えて多層建築物１５を設けた構成を有している。つまり、本実施形態では図１（ａ）等に示すように、中央スペース１１を挟んで固定観客席１３と対称となる位置に、固定観客席１３では無くバルコニー席１５１を有する多層建築物１５が設けられている。
【００２９】
そのため、図１（ｂ）等に示すように、高さ方向に沿って見た時に、中央スペース１１の多層建築物１５側の観客席構成（固定観客席１４と上下複数層のバルコニー席１５１）と、中央スペース１１の多層建築物１５と反対側（固定観客席１３側）の観客席構成（固定観客席１３、１４）が異なっている。
【００３０】
なお、固定観客席１４の下方のスタンド内には可動観客席（移動可能な観客席）が収納されており、例えば中央スペース１１をバスケットボールなどの競技に使用する場合に中央スペース１１の周囲の床レベルに引き出して用いられる（図２の符号１６参照）。
【００３１】
前記の多層建築物１５は、地域のニーズに合わせて、各フロアにレストラン、各種のショップ、観光施設、スポーツジム、ファンのクラブハウス等のテナントを組み込んだ商業ビルとして用いられ、スポーツやイベント時にはそれぞれのフロアでテナントと連動したユニークな観客席（バルコニー席１５１）の企画で運用し、スポーツやイベントの非開催時、あるいはイベントの仕込み時や撤去作業時には、アリーナ施設１と関連した商業ビルとして運用できる。
【００３２】
また本実施形態では、図４のように中央スペース１１の多層建築物１５側にステージ５０を設置可能となっており、コンサート等の際にエンドステージ型の運用を行うことができる。
【００３３】
アリーナ施設１は、さらに、４種類の梁部２１、２２、２３、２４の上に屋根材２０を設けて構成された大屋根架構を有している。このうち梁部２１、２２についてはその平面位置を図１（ａ）、図２（ａ）の点線で図示している。
【００３４】
梁部２１は、固定観客席１４の中央スペース１１の長辺側の境界部の上方に設けられる大スパンの梁である。梁部２１は、平面視において、中央スペース１１を挟んで対向する位置にある境界部のそれぞれに沿って配置される。
【００３５】
梁部２１は箱型の形状を有し、側面にはトラス材（斜材）が設けられる。梁部２１の一方の端部は多層建築物１５に接続され、反対側の端部は柱部２５によって支持される。柱部２５は、固定観客席１２の長手方向の端部と、固定観客席１３の外側の端部の間に設けられる。
【００３６】
梁部２２は、一対の梁部２１の長手方向の中央部間を結ぶように架け渡される。梁部２２も梁部２１と同様、箱型の形状を有し、側面にはトラス材が設けられる。なお、梁部２１、２２の側面のトラス材は省略可能である。
【００３７】
梁部２１、２２には、中央スペース１１を演出空間として演出する際に関係者が入れるように、人が移動するための床２１１、２２１（図３のグレー部分参照）が設けられる。床２１１、２２１にはエキスパンドメタル等を用いることができるが、特に限定されない。
【００３８】
梁部２１、２２、および前記した多層建築物１５の中央スペース１１側の部分には、中央スペース１１の演出に用いる演出装置を設けることができる。演出装置は例えば照明、映写装置、音響機器、吊下式のモニターなどであり、関係者の操作によって演出を行うことができる。図１、２の（ｂ）にはこのような演出装置の例として照明３０を示している。演出装置の他には撮影用のカメラなども設けることができる。
【００３９】
なお、本実施形態では柱部２５も箱型の形状を有し、人が昇降して梁部２１に移動できるようになっている。この柱部２５も、中央スペース１１の演出のために関係者が入れるように、人が移動するための床２５１（図３のグレー部分参照）を有し、上記の演出装置を設けることが可能である。柱部２５および上記の梁部２１、２２はバックステージツアー等に活用することも可能である。
【００４０】
梁部２３は、一対の梁部２１間を結ぶように架け渡される立面トラス状の梁である。梁部２３は、梁部２２の両側において、梁部２１の長手方向に間隔を空けて複数配置される。
【００４１】
梁部２４は、両梁部２１の外側の固定観客席１２、１４の上方に架設される梁であり、両梁部２１から外側に延びるように設けられる。梁部２４は例えばH型鋼などの単一材であり、梁部２１の長手方向に間隔を空けて複数配置される。
【００４２】
多目的広場４０は、多層建築物１５の外側に隣接して設けられる広場であり、各種のイベント等が行われる。多層建築物１５の外側はガラスやバルコニー、テラス等によって多目的広場４０に向かっての眺望が確保され、多目的広場４０側に開かれた印象を与える。この多目的広場４０と多層建築物１５を一体となって運用することで、１年を通した賑わい形成に寄与する。
【００４３】
以上説明したように、本実施形態では、中央スペース１１を取り囲む観客席を有するアリーナ施設１において、観客席の一部に代えて多層建築物１５を設ける。この多層建築物１５を商業ビルのような商業施設などとして運用し、アリーナ施設１内でスポーツやイベントなどが行われている場合は、多層建築物１５の中央スペース１１側に設けたバルコニー席１５１から例えば食事をしながらオペラ劇場のようにスポーツやイベントを楽しむことができる。
【００４４】
また、商業施設などとして運用される多層建築物１５は、スポーツやイベントの非開催時、あるいはイベントの仕込み時や撤去作業時等、アリーナ施設１内が利用されていないときでも日常の市民利用に貢献可能である。そのため、1年を通してアリーナ施設１を利用することができ、積極的な市民利用を促進し運営上も利点が大きい。
【００４５】
このように、本実施形態では多様な観客席により様々な観戦スタイル、いろいろな楽しみ方を提供して多目的アリーナとしての性能を強化し、且つ多層建築物１５の多彩な利用により日常の市民利用、街の賑わいづくりを両立させることが可能である。
【００４６】
また本実施形態では、観客席としての価値が比較的低く、キャパシティーを優先しない中央スペース１１の長辺方向の端部の外側のエリアに前記の多層建築物１５を設けることで、価値の高い中央スペース１１の長辺方向に沿った観客席を残してアリーナ施設１全体の観客席価値を維持しつつ、前記した効果を奏することができる。
【００４７】
また前記の図４のようにステージ５０を設置可能とすることで、コンサート等の際にエンドステージ型の運用を行うことができ、価値の高い中央スペース１１の長辺方向に沿った観客席を生かして観客席数を多く確保することができる。
【００４８】
さらに、多層建築物１５の外側に多目的広場４０が設けられるので、多目的広場４０と多層建築物１５を一体に運用することができ、空間の魅力を高め日常の市民利用を促進することができる。
【００４９】
さらに本実施形態では、中央スペース１１と固定観客席１４の境界部で、多層建築物１５等によって支持された梁部２１を設け、この梁部２１を、中央スペース１１の演出のために関係者が容易に動き回ることができる床付のものとし、演出装置の設置空間を梁部２１に確保することで、劇場のポータルブリッジのように中央スペース１１の多様な演出を可能とする演出機能を梁部２１に持たせることができる。例えば演者や競技者に斜め方向から照明を当てることで演者や競技者を強調し、際立たせることができる。
【００５０】
また、本実施形態では梁部２１を支持する柱部２５も床付とし、上記と同様の演出機能を持たせることができる。さらに、多層建築物１５の中央スペース１１側に演出装置を配置し、中央スペース１１の演出に利用できるようして、演出対象となる中央スペース１１を様々な角度から演出できる。
【００５１】
本実施形態では、このような演出機能により中央スペース１１で行う多様なイベントの魅力を高めることができ、多目的利用の可能性を広げ、従来のアリーナ施設と差別化して多様なイベントを誘致することができる。
【００５２】
しかしながら、本発明はこれに限らない。例えば本実施形態ではアリーナ施設の例を説明したが、これに限ることは無く、中央スペースとその周囲の観客席を有する建物であれば本実施形態と同様の多層建築物の構成を適用可能である。
【００５３】
観客席の配置の詳細や建物の平面形状等も特に限定されず、また場合によっては中央スペース１１の短辺方向の端部の外側に多層建築物１５を設けることも可能である。さらに、梁部の構成も前記したものに限ることはない。
【００５４】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００５５】
１：アリーナ施設
１１：中央スペース
１２、１３、１４：固定観客席
１５：多層建築物
１６：可動観客席
２０：屋根材
２１、２２、２３、２４：梁部
２５：柱部
３０：照明
４０：多目的広場
５０：ステージ
１５１：バルコニー席
２１１、２２１、２５１：床
【図１】
2018204214.tif 000003
【図２】
2018204214.tif 000004
【図３】
2018204214.tif 000005
【図４】
2018204214.tif 000006